(57)【特許請求の範囲】
【請求項１】
ボディ部（１００）；
前記ボディ部（１００）の一側に位置する流入口（１１０）；
前記ボディ部（１００）の他側に位置する流出口（１２０）；
一側が前記流入口（１１０）と連通され、前記ボディ部（１００）の上側に位置する円形の上部流路（１１１）；
一側が前記流出口（１２０）と連通され前記上部流路（１１１）の下側に平行に配置される円形の下部流路（１２１）；
前記上部流路（１１１）と前記下部流路（１２１）の周りの一側に沿って並んで配置されるチューブ（２００）であって、互いに異なる内径を有し、その下部がそれぞれ前記下部流路（１２１）と連通される多数のチューブ（２００）；及び
前記ボディ部（１００）の上部で前記上部流路（１１１）と前記多数のチューブ（２００）の上部を覆いながら回転可能に位置するが、その下側面に前記上部流路（１１１）と前記多数のチューブ（２００）のいずれか一つの上部の一部にまたがるか、またはまたがらないように配置される連通溝（３１０）を備える第１シール部材（３００）；
を含み、
前記第１シール部材（３００）の回転による前記連通溝（３１０）の位置によって前記上部流路（１１１）と前記下部流路（１２１）が、前記各チューブ（２００）と選択的に連通するか、または連通しない、セレクタ。
【請求項２】
前記ボディ部（１００）の上部に位置するコントロールレバー（４００，４００’）をさらに含み、
前記第１シール部材（３００）は、前記コントロールレバー（４００，４００’）の一側に位置し、前記コントロールレバー（４００，４００’）が回転することにより連動して回転する、請求項１に記載のセレクタ。
【請求項３】
前記第１シール部材（３００）は、外周面に突出して形成される複数の突出部（３０２）を備え、
前記コントロールレバー（４００，４００’）は、内周面の一側に形成され、前記突出部（３０２）と同じ数の溝（４０２）を備え、前記多数の突出部（３０２）が、前記各溝（４０２）に嵌合されて固定されることにより、前記コントロールレバー（４００，４００’）の回転に応じて前記第１シール部材（３００）が連動して回転する、請求項２に記載のセレクタ。
【請求項４】
前記多数の突出部（３０２）の幅はそれぞれ異なり、前記各溝（４０２）の幅は、前記多数の突出部（３０２）の幅と対応するようにそれぞれ異なる、請求項３に記載のセレクタ。
【請求項５】
前記コントロールレバー（４００，４００’）の一側に位置する表示部（４１０）をさらに含む、請求項２に記載のセレクタ。
【請求項６】
前記ボディ部（１００）の下側に位置し、前記各チューブ（２００）及び前記下部流路（１２１）を覆う第２シール部材（５００）をさらに含む、請求項１に記載のセレクタ。
【請求項７】
前記各チューブ（２００）は、前記第１シール部材（３００）と前記第２シール部材（５００）との間に垂直に位置することにより、その長さ方向への動きが拘束される、請求項６に記載のセレクタ。
【請求項８】
前記コントロールレバー（４００，４００’）には、その内周面の一側に位置する固定突起（４０３）がさらに具備され、
前記ボディ部（１００）には、その上部周りに沿って前記各チューブ（２００）と対応する位置に形成される多数の固定溝（１０３）が具備され、
コントロールレバー（４００，４００’）の回転に応じて前記固定突起（４０３）が前記多数の固定溝（１０３）のいずれか一つに挿入される、請求項２に記載のセレクタ。
【発明の詳細な説明】
【技術分野】
【０００１】
本発明は、セレクタに関し、詳しくは流れる流体を遮断または流動させるように規制し、流入して流動される流体を設定された定量で選択的に流出されるようにするセレクタに関する。
【背景技術】
【０００２】
管を流れる流体の量を所望の量に調節して排出する技術は、多くの分野で使用されているが、例えば、医療分野において患者に投与または注入される薬剤は、当然、その用法に応じて投与されなければならず、このような用法中、注入量、注入速度、注入時間などは非常に重要な要素と言える。
【０００３】
特に、手術後の患者の痛みの調節に使用される鎮痛剤は、その用法が特に重要であり、これを守らない場合、薬剤の種類による副作用である呼吸抑制、過度の鎮静作用、悪心、嘔吐などの胃腸管の問題、尿閉、掻痒症などの症状を引き起こす可能性があり、甚だしい場合、薬物中毒をもたらすこともある。
【０００４】
このような、鎮痛剤の場合、最近では、従来使用された方式である、患者が痛みを訴えるたびに、上記薬剤を間欠的に注入する方法の代わりに、均等に痛みを調節する自己調節鎮痛法（Ｐａｔｉｅｎｔ  Ｃｏｎｔｒｏｌｌｅｄ  Ａｎａｌｇｅｓｉａ：ＰＣＡ）が利用されている。
【０００５】
このようなＰＣＡ法は、比較的低い副作用と高い効果を示す薬剤を少量ずつ継続的に注入させながら、痛みを抑え、急な状態変化に起因する痛み発生時に、患者自身がさらに薬剤を直接投与する方法である。
【０００６】
基礎的な痛みの調節のために、上記のように、薬剤を継続的に続けて投与しなければならないため、このような継続的な投与量の決定及び微調整が非常に重要であり、その調節に失敗した場合、上記した鎮痛剤の副作用が発生する。
【０００７】
このような、継続的な薬剤の投入を調節する装置として、現在一般的にリンゲルなどの輸液などに広く使われている流量調節装置は、リンゲル液が通過するチューブ上に設置される回転可能なディスクを使用し、チューブに圧力を加え、このような圧力を調節して可撓性のあるチューブの断面積を変化させて流量を調整し、このような調節器は、わずか２〜３個の部品で構成される単純な構造を有する長所がある。
【０００８】
しかし、このような流量調節装置は、親指で操作されるディスクがハウジングに沿って転がり運動をしながら、ハウジングの最上段の位置から最下段の位置まで移動するため、人差し指と中指でハウジングを握った状態で、ハウジングに沿って転がるディスクを親指で操作することは非常に不自然な動作であるだけでなく、かなり熟練したユーザーでなければディスクを転がり運動させて薬液量を正確に調節することが非常に困難である。したがって、薬剤の種類だけを正確に処方すれば、投与量は、大きく依存しないリンゲル液などの薬剤の投与には、比較的簡単に使用が可能であるが、上述したように、誤用時に深刻な副作用をもたらす鎮痛剤などの薬剤などに適用して使用することは困難であり、さらに危険性さえあると言える。
【０００９】
一方、韓国登録特許公報第１０−１０５８５３９号を見ると、注入する処方された流量の基準点で測定した流量の割合で操作部の操作点を合わせることで処方された流量で迅速に調節することができる輸液流量調節器を提案している。
【００１０】
しかし、上記した先行技術の輸液流量調節器の場合には、輸液貯蔵容器に残存する輸液の量に応じて調節器に加わる輸液入力端の圧力が変更され、このような圧力変更により、時間の経過に応じて輸液の流量が正確に調節されない問題がある。
【００１１】
そのほかに、韓国公開特許公報第２００７−００３０４２０号には、インスリンが収容されたシリンジに駆動モータが連結されたプランジャーを連結し、駆動モータを電子的に制御することにより、シリンジ内のインスリンの注入量を決定する装置が開示されている。
【００１２】
インスリンも必要量以上を投与する場合、致命的な副作用をもたらすため、このような装置を使用して調節することにより、副作用の危険性は減少するが、上記した装置は、注入される量は、すでに決定されており、このような決定された量をどの程度の速度で注入するかの課題を解決しただけであり、シリンジの容量が決められている以上、時間当たり一定量の継続的な投与を要する場合には適用が困難であり、これとは別途にプランジャーを制御する駆動モータ及び電子機器が備えられていなければならないため、装置が大型化及び高コスト化するという問題も抱えている。
【先行技術文献】
【特許文献】
【００１３】
【特許文献１】韓国登録特許公報第１０−１０５８５３９号公報
【特許文献２】韓国公開特許公報第２００７−００３０４２０号公報
【発明の概要】
【発明が解決しようとする課題】
【００１４】
そこで、本発明は、上記のような従来技術の問題点に着目し、これを解決するために案出されたものであり、簡単な操作でも、正確な流体の流量を調節して継続的に投与することができ、また、製作が簡単なセレクタを提供することにその目的がある。
【課題を解決するための手段】
【００１５】
上記した目的を達成するために、本発明は、ボディ部；上記ボディ部の一側に位置する流入口；上記ボディ部の他側に位置する流出口；一側が上記流入口と連通され、上記ボディ部の上側に位置する円形の上部流路；一側が上記流出口と連通され、上記上部流路の下側に平行に配置される円形の下部流路；
上記上部流路と上記下部流路の周りの一側に沿って並んで配置されるチューブであって、互いに異なる内径を有し、その下部がそれぞれ上記下部流路と連通される多数のチューブ；及び上記ボディ部の上部で上記上部流路と上記多数のチューブの上部を覆いながら回転可能に位置するが、その下側面に上記上部流路と上記多数のチューブのいずれかの上部の一部にまたがるか、またはまたがらないように配置される連通溝を備えた第１シール部材；を含み、上記第１シール部材の回転による上記連通溝の位置によって、上記上部流路と上記下部流路が、上記各チューブと選択的に連通するか、または連通しないセレクタを提供する。
【００１６】
上記ボディ部の上部に位置するコントロールレバーをさらに含み、上記第１シール部材は、上記コントロールレバーの一側に位置し、上記コントロールレバーが回転することにより連動して回転することが望ましい。
【００１７】
上記第１シール部材は、外周面に突出して形成される複数の突出部３０２を備え、上記コントロールレバーは内周面の一側に形成され、上記突出部と同じ個数の溝を備え、上記多数の突出部が、上記各溝に嵌合されて固定されることにより、上記コントロールレバーの回転に応じて上記第１シール部材が連動して回転することが望ましい。
【００１８】
上記多数の突出部の幅はそれぞれ異なり、上記各溝の幅は、上記多数の突出部の幅と対応するように、それぞれ異なることが望ましい。
【００１９】
上記コントロールレバーの一側に位置する表示部をさらに含むことが望ましい。
【００２０】
上記ボディ部の下側に位置し、上記各チューブ及び上記下部流路を覆う第２シール部材をさらに含むことが望ましい。
【００２１】
上記各チューブは、上記第１シール部材と上記第２シール部材との間に垂直に位置することにより、その長さ方向への動きが拘束されることが望ましい。
【００２２】
上記コントロールレバーには、その内周面の一側に位置する固定突起がさらに具備され、上記ボディ部には、その上部周りに沿って上記各チューブ２００と対応する位置に形成される多数の固定溝が具備され、コントロールレバーの回転に応じて上記固定突起が上記多数の固定溝のいずれかに挿入されることが望ましい。
【発明の効果】
【００２３】
上記のように、本発明に係るセレクタによると、簡単な操作を通じて、流入される流体が各チューブの設定された内径に応じて定められた流量で正確に流出されるので、使用が便利でありながら、常に正確な流体の流量が投与されるように調節が可能であり、また、接着等が必要でなく、簡単に製作が可能であるという利点を有する。
【図面の簡単な説明】
【００２４】
【図１】本発明の一実施形態によるセレクタの全体斜視図である。
【図２】本発明の一実施形態によるセレクタの分解斜視図である。
【図３】本発明の一実施形態によるセレクタの一構成であるボディ部１００の斜視図であり、それぞれ、上（左）と下（右）から見た図である。
【図４】本発明の一実施形態によるセレクタの一構成であるコントロールレバー４００の斜視図であり、それぞれ、上（左）と下（右）から見た図である。
【図５】本発明の一実施形態によるセレクタの一構成である第１シール部材３００の斜視図であり、それぞれ、上（左）と下（右）から見た図である。
【図６】本発明の一実施形態によるセレクタの一構成であるボディ部１００の平面図であり、連通溝の位置に応じた流体の流れを示す。
【図７】本発明の一実施形態によるセレクタの一構成であるボディ部１００の図６に示されたＡ−Ａ’線に沿った断面図であり、連通溝の位置に応じた流体の流れを示す。
【図８】本発明の一実施形態によるセレクタの一構成であるボディ部１００の平面図であり、連通溝の位置に応じた流体の流れを示す。
【図９】本発明の一実施形態によるセレクタの一構成であるボディ部１００の図６に示されたＢ−Ｂ’線に沿った断面図であり、連通溝の位置に応じた流体の流れを示す。
【図１０】本発明の一実施形態によるセレクタの一構成であるボディ部１００の底面図であり、連通溝の位置に応じた流体の流れを示す。
【図１１】本発明によるセレクタの全体斜視図であり、コントロールレバー４００’の他の実施形態を示す。
【発明を実施するための形態】
【００２５】
本発明の上記のような目的、特徴及び他の利点は、添付図面を参照して本発明の好ましい実施形態を詳細に説明することにより、より一層明らかになるだろう。この過程で、図面に示された線の太さや構成要素の大きさなどは、説明の明瞭性と便宜上誇張して図示されていることがある。また、後述される用語は、本発明での機能を考慮して定義された用語であり、これは、ユーザー、運用者の意図または慣例によって異なることがある。したがって、このような用語に関する定義は、本明細書の全般にわたる内容に基づいて記述されなければならない。
【００２６】
また、記述される実施形態は、発明の説明のために例示的に提供されるものであり、本発明の技術的範囲を限定するものではない。
【００２７】
本発明に係るセレクタをなす各構成要素は、必要に応じて一体型に使用されたり、それぞれ分離して使用することができる。また、使用形態に応じて、一部の構成要素を省略して使用することが可能である。
【００２８】
以下、添付された図面を参照し、本発明の一実施形態によるセレクタを説明すると、次の通りである。
【００２９】
図１〜図２に示したように、本発明の一実施形態によるセレクタは、ボディ部１００、チューブ２００、シール部材第１及び第２のシール部材３００，５００、コントロールレバー４００及びケーシング７００を含むことができる。
【００３０】
図３に示すように、ボディ部１００は、流入口１１０、流出口１２０、上部流路１１１、下部流路１２１及び収容部１３０を含むことができる。
【００３１】
流入口１１０は、ボディ部１００の一側に位置し、流入口１１０に流体が流入される。
【００３２】
流出口１２０は、ボディ部１００の他側に位置し、流入口１１０に流入した流体が、後述する各構成による作用による流動を通じて流出口１２０に流出される。
【００３３】
流入口１１０及び流出口１２０の位置は限定されないが、図３に示すように、互いに向き合う位置に配置されることが望ましい。
【００３４】
上部流路１１１は、ボディ部１００の上部で流入口１１０と連通するように位置し、好ましくは、流入口１１０と上部流路１１１の一側を流体疎通するように連結する流入管１１１ａを介して互いに連通することができる。上部流路１１１は、流体が流れるように形成された円形の溝状で位置して上部流路１１１の一部が流入管１１１ａを介して流入口１１０と連通することができる。
【００３５】
下部流路１２１は、ボディ部１００の下側で流出口１２０と連通するように位置し、好ましくは、上部流路１１１と同様に、流出口１２０と下部流路１２１の一側を流体疎通するように連結する流出管１２１ａを介して互いに連通することができ、このために各チューブ２００の下部と下部流路１２１との間に補助流路１２１ｂがそれぞれ位置することができる。
【００３６】
下部流路１２１は、流体が流れるように形成された円形の溝状で位置し、下部流路１２１の一部が流出管１２１ａを介して流出口１２０と連通することができ、上部流路１１１と平行に位置することが望ましい。すなわち、上部流路１１１と下部流路１２１のそれぞれの周りを連結すると仮定すると、上部流路１１１と下部流路１２１の周りの形状を有する筒状になる。
【００３７】
収容部１３０は、ボディ部１００の内側に設けられる所定の空間であり、多数個が上記上部流路１１１及び下部流路１２１の周りよりも小さい周りをなすように配置することができる。図示しなかったが、収容部１３０は、上記上部流路１１１及び下部流路１２１の周りよりも大きい周りをなすように配置することもできる。すなわち、上部流路１１１及び下部流路１２１の周りに一側に所定間隔に離隔されて並んで配置されることが望ましい。
【００３８】
一方、ボディ部１００の一側、好ましくは流入口１１０が位置する側に指示部１４０が位置して指示部１４０と、後述するコントロールレバー４００の表示部４１０中、一致する表示部４１０に基づいてコントロールレバー４００の位置が定められ、これを知ることができる。
【００３９】
チューブ２００は、中空の管状であって、上記多数の収容部１３０の内部に多数個が収容され、収容される各チューブ２００は、異なる内径を有する。チューブ２００の材質などは限定されないが、好ましくは、ガラスｇｌａｓｓチューブ２００であってもよい。
【００４０】
シール部材は、図２に示すように、第１シール部材３００と第２シール部材５００からなる。
【００４１】
図２及び図４に示すように、コントロールレバー４００は、ボディ部１００の上部に回転可能なように位置する。ボディ部１００の下側面に突出した結合部のボディ部１００の結合孔１０１に挿入されて結合されることにより回転可能に結合されることが望ましく、結合部は手軽に結合が可能なように、弾性材料として上記結合孔１０１に挿入され、加圧によって、その直径が減少し、挿入後に弾性力によって、直径が復元されて結合されてもよい。
【００４２】
また、コントロールレバー４００の上部には、流出部に流出される流量の状態を数値として表示する表示部４１０が位置し、コントロールレバー４００の上部を覆うカバー４２０を備えることができる。上述したように、上記表示部４１０のいずれかがボディ部１００の指示部１４０と一致するようにしてコントロールレバー４００の回転を調節する。
【００４３】
また、コントロールレバー４００’の他の実施形態として、図１１に示すように、コントロールレバー４００’の上部に数字の形の表示部を表示しないか、単に閉鎖状態を示す基準点としての表示部４１０’が位置し、表示部４１０’が上記ボディ部１００の指示部１４０と一致した状態が閉鎖状態であり、表示部４１０’がボディ部１００の指示部１４０となす角度を通じて流体の流出流量を知ることができる。
【００４４】
より好ましくは、上記コントロールレバー４００，４００’は、その内周面の一側に位置する固定突起４０３がさらに具備され、ボディ部１００の上部周りに沿って、各収容部１３０と対応する位置に形成される固定溝１０３が備えられてコントロールレバー４００の回転に応じて固定突起４０３が、各チューブ２００のうち所望の内径を有するチューブの位置に正確に位置されて固定されるようにすることができる。
【００４５】
図２及び図５に示すように、第１シール部材３００は、コントロールレバー４００とボディ部１００との間に介在されてボディ部１００の上部で、上部流路１１１及び各チューブ２００の上部を覆うように配置され、そのために好ましくは、コントロールレバー４００の結合部がボディ部１００の結合孔１０１に挿入されるとき、第１シール部材３００の中央部に形成される通孔３０１を介して結合部４１０を通過させて結合孔１０１に結合されるようにすることにより、第１シール部材３００がコントロールレバー４００とボディ部１００の上部との間に位置する。
【００４６】
また、第１シール部材３００は、コントロールレバー４００と連動して回転可能に配置される。このため、図３及び図４に示すように、第１シール部材３００の外周面には、多数の突出部３０２が備えられ、コントロールレバー４００の下部面には、上記多数個の突起と対応する数の溝４０２が位置して、突出部３０２と溝４０２が嵌合されることによって、第１シール部材３００がコントロールレバー４００の下部で固定され、したがって、コントロールレバー４００が回転することによって第１シール部材３００が連動して回転することになる。
【００４７】
そして、第１シール部材３００の多数の突出部３０２は、それぞれ、その幅が異なるように形成され、コントロールレバー４００の溝４０２も上記それぞれ幅が異なる突出部３０２と対応するように、その幅がそれぞれ異なって形成されることが望ましい。これにより、第１シール部材３００が定められた位置でのみコントロールレバー４００に結合されるようにして、第１シール部材３００とコントロールレバー４００との結合時に連通溝３１０の正確な位置を誤結合なしに結合することができる。
【００４８】
第１シール部材３００の下部面には、その一部が凹んだ連通溝３１０が位置する。連通溝３１０の位置は、図５及び図７に示すように、第１シール部材３００がボディ部１００の上側に位置した状態で、第１シール部材３００の回転に応じて上部流路１１１だけを（図５の破線を参照）、または上部流路１１１と、各チューブ２００を選択的に覆うように（図７の破線を参照）に配置され、したがって、シール部材の回転に伴う連通溝３１０の位置の変化に応じて、流入口１１０と、各チューブ２００が連通しないか、または流入口１１０と、各チューブ２００が選択的に連通する。
【００４９】
また、図８及び図９に示すように、連通溝３１０は、各チューブ２００の一部と連通するよう位置したときに、チューブ２００の上部の一部にのみまたがるように位置することが望ましい。これにより、連通したチューブ２００に流体が流動するとき、チューブ２００が連通溝３１０と、後述する第２シール部材５００との間での長さ方向への動きが拘束され、したがって、各チューブ２００を収容部１３０に収容する際に、各チューブ２００の外周面を各収容部１３０の内周面に接着剤などを使用して固定する必要がなく、固定させることができる。
【００５０】
一方、図２に示すように、第２のシール部材５００は、再び内側シール部材５１０と外側シール部材５２０からなることができ、内側シール部材は、図２及び図７に示すように、ボディ部１００の下部で下部流路１２１と、各チューブ２００の下部を覆うように位置し、下部流路１２１に水密性を提供する。
【００５１】
外側シール部材５２０は、内側シール部材５１０の下部に位置し、好ましくは中央部から上側に延長される結合部５２２がボディ部１００の結合孔１０１に挿入されることによって結合され、好ましくは、外側シール部材５２０の結合部５２２の中央部に結合孔５２１が形成され、上記コントロールレバー４００の結合部４１０が挿入されて結合することができる。すなわち、ボディ部１００を間に置いてコントロールレバー４００と外側シール部材５２０が結合され、より好ましくはピン６００を外側シール部材５２０の結合孔５２１に貫通させてコントロールレバー４００の結合部４１０にさらに結合することができ、このとき、外側シール部材５２０の結合部５２２の外周面に形成された溝５２３にボディ部１００の結合孔１０１の内周面に形成された係止部１０３が挿入されて固定することができる。
【００５２】
また、本発明の一実施形態によるセレクタは、ケーシング７００をさらに含むことができ、ケーシング７００は、図２及び図６に示すようにボディ部１００の外側を覆うように位置し、その内周面に結合突起７０２を備えて結合突起７０２がボディ部１００の外周面に形成された段差部１０２にかかるようにしてボディ部１００の外側に結合することができる。
【００５３】
上記のように、本発明の一実施形態によるセレクタの構成により、流入口１１０、上部流路１１１、チューブ２００、下部流路１２１及び流出口１２０は、全体として連通可能になり、上記のように、上部流路１１１と、各チューブ２００との間での連通溝３１０の移動に応じて、流入口１１０に流入され、流体が遮断されたり、内径を異にする各チューブ２００のいずれか一つのチューブと選択的に流動するようになり、流体の遮断及び流量の調節が可能になる。
【００５４】
以下では、添付された図６〜図１０を再び参照し、本発明の一実施形態によるセレクタの作用を詳細に説明する。
【００５５】
図６〜図７に示すように、第１シール部材３００の連通溝３１０がチューブ２００が配置されていない側に位置した状態（以下、Ｃｌｏｓｅ状態という）であって、コントロールレバー４００の表示部４１０のＣｌｏｓｅ状態と指示部一致した状態では、流入口１１０を介して流入される流体が連通溝３１０によってチューブ２００と連通することができないので、流体の流動が遮断されて流体が流出口１２０に流出することができない（図６〜図７の赤矢印を参照）。
【００５６】
一方、図８〜図１０に示すように、コントロールレバー４００の回転により、第１シール部材３００の連通溝３１０がボディ部１００の収容部１３０に配置された各チューブ２００のいずれか一つの側に位置した状態、すなわちＣｌｏｓｅ状態以外の状態では、連通溝３１０によって上部流路１１１と、各チューブ２００のいずれか一つが連通するため、流入口１１０に流入された流体が上部流路１１１に沿って連通溝３１０に流動して連通溝３１０が位置したチューブ２００に流動して下部流路１２１を経て流出口１２０に流出され（図８〜図１０の赤矢印を参照）、各チューブ２００は、上記のように、それぞれ異なる内径を有するため、コントロールレバー４００を回転させて連通溝３１０を所望の内径を有するチューブ２００が配置した部分に位置させることにより、流出口１２０に流出される流体の流量を調節することができる。
【００５７】
上記のように、本発明に係るセレクタによれば、コントロールレバー４００の簡単な動作により流体の遮断及び流動を規制することにより、流動する流体を多様に設定された定量で流出させて継続的に正確に供給することが可能である。
【００５８】
また、各構成が嵌合方式で組み立てることにより、接着剤等を使用することなく簡単に製作が可能なために製作コストの削減効果も得ることができる。
【００５９】
以上で、本発明の好適な実施形態について説明したが、本発明は、上述した特定の実施形態に限定されない。すなわち、本発明が属する技術分野において通常の知識を有する者であれば、添付された特許請求の範囲の思想及びカテゴリを逸脱することなく、本発明に対する多数の変更及び修正が可能であり、そのようなすべての適切な変更及び修正の均等物も、本発明の範囲に属するものとみなされるべきである。
【図１】
0006507429.tif 000002
【図２】
0006507429.tif 000003
【図３】
0006507429.tif 000004
【図４】
0006507429.tif 000005
【図５】
0006507429.tif 000006
【図６】
0006507429.tif 000007
【図７】
0006507429.tif 000008
【図８】
0006507429.tif 000009
【図９】
0006507429.tif 000010
【図１０】
0006507429.tif 000011
【図１１】
0006507429.tif 000012